(57)【特許請求の範囲】
【請求項１】
透液性表面シートと不透液性裏面シートとの間に吸液性コアが介在し、前胴周り域および後胴周り域とそれら胴周り域の間に位置する股下域とを備え、前記前後胴周り域を横方向へ延びる両端縁部と、前記両端縁部の間を縦方向へ延びる両側縁部とを有し、実質的に不透液性の胴周り用防漏カフが、前記表面シートの外面の側に位置して前記前後胴周り域のうちの少なくとも一方を前記横方向へ延びている使い捨て着用物品において、
前記防漏カフが、前記物品の端縁部の側に位置して該物品に固着された固定端部と、前記固定端部から前記股下域へ向かって延びる自由端部と、前記物品の両側縁部に位置して該物品に固着された固定両側部とを有し、前記横方向へ伸縮する弾性部材が、前記自由端部に伸長状態で取り付けられ、前記自由端部が、前記表面シートの上方へ起立性向を有するとともに、少なくとも一つの止着部位によって前記物品に固着され、前記コアが、前記カフの固定両側部の内側を前記縦方向へ延びる両側縁を有し、前記止着部位が、前記カフの固定両側部と前記コアの両側縁との間に形成されていることを特徴とする前記物品。
【請求項２】
前記自由端部の前記横方向へ延びる自由縁が、前記物品の端縁部の側へ凸となるように弧を画いて延びている請求項１に記載の物品。
【発明の詳細な説明】
【０００１】
【発明の属する技術分野】
本発明は、排泄物を吸収、保持する使い捨て着用物品に関する。
【０００２】
【従来の技術】
特開平４−３５４９４８号公報は、透液性表面シートと不透液性裏面シートとの間に吸液性コアが介在し、互いに対向する前胴周り域および後胴周り域とそれら胴周り域の間に位置する股下域とを備え、前後胴周り域の両側縁部が連結されて胴周り開口と一対の脚周り開口とが画成されたパンツ型の使い捨ておむつを開示している。
【０００３】
胴周り開口の縁部には、実質的に不透液性の胴周り用防漏カフが表面シートの外面の側に位置して胴周り方向へ延びている。防漏カフは、前胴周り域を胴周り方向へ延びる第１カフと、後胴周り域を胴周り方向へ延びる第２カフとから形成されている。第１カフは、着用者の胴周りの略前半分を囲繞する寸法を有し、第２カフは、着用者の胴周りの略後半分を囲繞する寸法を有する。
【０００４】
それらカフは、胴周り開口の縁部の側に位置しておむつに固着された固定端部と、固定端部から股下域に向かって延びる自由端部と、前後胴周り域の両側縁部に位置しておむつに固着された固定両側部とを有する。自由端部には、胴周り方向へ伸縮する弾性部材が伸長状態で取り付けられている。それら防漏カフの自由端部は、弾性部材の収縮によって表面シートの上方へ起立し、排泄物に対する障壁を形成する。
【０００５】
【発明が解決しようとする課題】
前記防漏カフでは、固定両側部の間を胴周り方向へ延びる自由端部がおむつに固着されておらず、自由に動くことができるので、着用したおむつが上下に動くことによって自由端部がめくれてしまう場合がある。それら防漏カフでは、自由端部がめくれると、それが排泄物に対する障壁として機能せず、排泄物が自由端部を乗り越えて胴周り開口の縁部から漏れてしまう。
【０００６】
本発明の課題は、胴周り用防漏カフの自由端部がめくれ難く、自由端部が障壁として機能して排泄物の漏れを防ぐことができる使い捨て着用物品を提供することにある。
【０００７】
【課題を解決するための手段】
前記課題を解決するために、本発明が前提とするところは、透液性表面シートと不透液性裏面シートとの間に吸液性コアが介在し、前胴周り域および後胴周り域とそれら胴周り域の間に位置する股下域とを備え、前記前後胴周り域を横方向へ延びる両端縁部と、前記両端縁部の間を縦方向へ延びる両側縁部とを有し、実質的に不透液性の胴周り用防漏カフが、前記表面シートの外面の側に位置して前記前後胴周り域のうちの少なくとも一方を前記横方向へ延びている使い捨て着用物品である。
【０００８】
前記防漏カフが、前記物品の端縁部の側に位置して該物品に固着された固定端部と、前記固定端部から前記股下域へ向かって延びる自由端部と、前記物品の両側縁部に位置して該物品に固着された固定両側部とを有し、前記横方向へ伸縮する弾性部材が、前記自由端部に伸長状態で取り付けられ、前記自由端部が、前記表面シートの上方へ起立性向を有するとともに、少なくとも一つの止着部位によって前記物品に固着され、前記コアが、前記カフの固定両側部の内側を前記縦方向へ延びる両側縁を有し、前記止着部位が、前記カフの固定両側部と前記コアの両側縁との間に形成されている。
【０００９】
【００１０】
本発明の実施の態様の他の一例としては、前記自由端部の前記横方向へ延びる自由縁が、前記物品の端縁部の側へ凸となるように弧を画いて延びている。
【００１１】
【発明の実施の形態】
添付の図面を参照し、本発明にかかる使い捨て着用物品の詳細をパンツ型のおむつを例として説明すると、以下のとおりである。
【００１２】
図１，２は、パンツ型に成形する以前の状態で示すおむつ１Ａの部分破断平面図と、図１の状態からパンツ型に成形したおむつ１Ａの部分破断斜視図とである。図１では、横方向を矢印Ｘで示し、縦方向を矢印Ｙで示す。図２では、胴周り方向を矢印Ｘで示し、脚周り方向を矢印Ｙで示す。なお、表裏面シート２，３やカバーシート６における内面とは、コア４に対向する面をいい、それらシート２，３，６の外面とは、コア４に非対向の面をいう。
【００１３】
おむつ１Ａは、透液性表面シート２と、不透液性裏面シート３と、それらシート２，３の間に介在して全体がティッシュペーパー（図示せず）に被覆、接合された吸液性コア４とを主要な構成部材とし、さらに、実質的に不透液性の脚周り用防漏カフ５と、縦方向へ長い略矩形の中央開口部６ｂを有する実質的に不透液性のカバーシート６と、実質的に不透液性の胴周り用防漏カフ７とを有する。
【００１４】
おむつ１Ａは、図１に示すように、縦方向に前胴周り域２０と、後胴周り域２２と、それら胴周り域２０，２２の間に位置する股下域２１とを有し、横方向へ延びる両端縁部１ａと、縦方向へ延びる両側縁部１ｂとを有する。両側縁部１ｂは、股下域２１においておむつ１Ａの横方向内方へ向って弧を画いている。
【００１５】
両端縁部１ａには、横方向へ伸縮する複数条の胴周り用弾性部材８が伸長状態で取り付けられている。股下域２１における両側縁部１ｂには、縦方向へ伸縮する複数条の脚周り用弾性部材９が伸長状態で取り付けられている。
【００１６】
コア４は、横方向へ延びる両端縁４ａと、縦方向へ延びる両側縁４ｂとを有する。コア４は、ティッシュペーパーを介して表面シート２と裏面シート３との内面に接合されている。
【００１７】
脚周り用防漏カフ５は、おむつ１Ａの両側縁部１ｂに配置されて縦方向へ延びている。カバーシート６は、表面シート２の外面に配置されている。胴周り用防漏カフ７は、後胴周り域２２におけるカバーシート６の外面に配置されて横方向へ延びている。
【００１８】
防漏カフ５は、コア４の両側縁４ｂ近傍を縦方向へ延びる固定側部５ａと、固定側部５ａに連なる自由側部５ｂと、おむつ１Ａの横方向内方へ倒伏された固定両端部５ｃとを有する。自由側部５ｂには、縦方向へ伸縮する弾性部材１０が伸長状態で取り付けられている。自由側部５ｂは、表面シート２の上方へ起立性向を有する。弾性部材１０は、自由側部５ｂの一部に被覆されている。固定側部５ａは、コア４の側縁４ｂ近傍を覆う表面シート２の外面に固着されている（図５参照）。固定両端部５ｃは、前後胴周り域２０，２２に位置する表面シート２の外面に固着されている。
【００１９】
カバーシート６は、おむつ１Ａの両端縁部１ａおよび両側縁部１ｂと防漏カフ５の固定側部５ａおよび固定両端部５ｃとを被覆し、その内面が両端縁部１ａおよび両側縁部１ｂと固定側部５ａおよび固定両端部５ｃとに固着されている。カバーシート６の開口部６ｂは、股下域２１の略全域に延びるとともに、股下域２１から前後胴周り域２０，２２の側へわずかに延びている。
【００２０】
防漏カフ７は、後胴周り域２２の端縁部１ａの側に位置して横方向へ延びる固定端部７ａと、固定端部７ａから股下域２１へ向かって延びる自由端部７ｂと、後胴周り域２２の両側縁部１ｂに位置して縦方向へ延びる固定両側部７ｃとを有する。自由端部７ｂでは、自由縁７ｄが横方向へ略直状に延びている。自由端部７ｂには、横方向へ延びる弾性部材１１が伸長状態で取り付けられている。自由端部７ｂは、カバーシート６の上方へ起立性向を有する。弾性部材１１は、自由端部７ｂの一部に被覆されている。固定端部７ａと固定両側部７ｃとは、カバーシート６の外面に固着されている。
【００２１】
自由端部７ｂには、２条の止着部位１２がコア４の両側縁４ｂの外側近傍を縦方向へ延びている。自由端部７ｂは、止着部位１２においてカバーシート６の外面に固着されている。防漏カフ７では、自由端部７ｂの動きが止着部位１２によって拘束されるので、固定両側部７ｃだけがカバーシート６に固着されている場合と比較し、自由端部７ｂがめくれ難い。
【００２２】
脚周り用弾性部材９は、第１脚周り用弾性部材９ａと第２脚周り用弾性部材９ｂとから形成されている。それら脚周り用弾性部材９ａ，９ｂは、股下域２１を横切る中央部分９ａ１，９ｂ１と、おむつ１Ａの両側縁部１ｂに沿って延びる両側部分９ａ２，９ｂ２とを有する。第１弾性部材９ａの両側部分９ａ２は、股下域２１に延びる両側縁部１ｂの略前半分に位置し、第２弾性部材９ｂの両側部分９ｂ２は、股下域２１に延びる両側縁部１ｂの略後半分に位置している。
【００２３】
図１の状態にあるおむつ１Ａは、図２に示すように、前後胴周り域２０，２２に延びる両側縁部１ｂが間欠的に固着されることでパンツ型に成形される。パンツ型に成形されたおむつ１Ａには、胴周り開口１３と一対の脚周り開口１４とが画成されている。
【００２４】
おむつ１Ａでは、両端縁部１ａが胴周り開口１３の縁部１ａを形成し、股下域２１に延びる両側縁部１ｂが脚周り開口１４の縁部１ｂを形成する。胴周り用弾性部材８は、胴周り開口１３の縁部１ａを胴周り方向へ延びている。脚周り用弾性部材９は、脚周り開口１４の縁部１ｂを脚周り方向へ延びている。防漏カフ５は、脚周り開口１４の縁部１ｂに沿って延びている。防漏カフ７は、後胴周り域２２における胴周り開口１３の縁部１ａに沿って延びている。
【００２５】
おむつ１Ａでは、弾性部材８，９が収縮して胴周り開口１３の縁部１ａと脚周り開口１４の縁部１ｂとに多数のギャザーが形成されている。おむつ１Ａでは、弾性部材１０の収縮によって防漏カフ５の自由側部５ｂが表面シート２の上方へ起立し、弾性部材１１の収縮によって防漏カフ７の自由端部７ｂがカバーシート６の上方へ起立している。
【００２６】
図３，４は、図１のＡ−Ａ線端面図と、図２のＢ−Ｂ線端面図とであり、図５は、図２のＣ−Ｃ線端面図である。後胴周り域２２では、止着部位１２の間に延びる防漏カフ７の自由端部７ｂとカバーシート６とが排泄物を収容する空間１５を形成するとともに、止着部位１２から固定両側部７ｃに延びる防漏カフ７の自由端部７ｂとカバーシート６とが排泄物を収容する空間１６を形成する。
【００２７】
後胴周り域２２では、防漏カフ７の自由端部７ｂが起立して排泄物に対する障壁を形成するので、後胴周り域２２における端縁部１ａからの排泄物の漏れを防ぐことができる。防漏カフ７では、止着部位１２がコア４の両側縁４ｂの外側近傍に延びているので、自由端部７ｂがコア４を覆ってしまうことがなく、コア４の端縁４ａ近傍において自由端部７ｂが起立し、端縁４ａに到達した排泄物を堰き止める。なお、防漏カフ７では、２条の止着部位１２がコア４の両側縁４ｂの内側近傍に延びていてもよいし、または、１条の止着部位１２がコア４の横方向中央部に延びていてもよい。
【００２８】
胴周り開口１３の縁部１ａでは、図４に示すように、表面シート２の端部２ａがコア４の端縁４ａから外側へわずかに延び、裏面シート３の端部３ａとカバーシート６の周縁部６ａとが表面シート２の端部２ａからさらに外側へ延びている。端部２ａは、端部３ａと周縁部６ａとの間に介在し、端部３ａと周縁部６ａとに固着されている。端部３ａと周縁部６ａとは、それらが互いに重なり合う部分において固着されている。縁部１ａでは、表面シート２の端部２ａが縁部１ａの端まで延びていないので、端部２ａに到達した排泄物が縁部１ａから漏出することはない。
【００２９】
裏面シート３は、プラスチックフィルム３ｃと疎水性繊維不織布３ｄとをラミネートした複合シートであり、胴周り用弾性部材８がプラスチックフィルム３ｃと不織布３ｄと間に取り付けられている。
【００３０】
脚周り開口１４の縁部１ｂでは、図５に示すように、表面シート２の側部２ｂがコア４の側縁４ｂから外側へわずかに延び、裏面シート３の側部３ｂとカバーシート６の周縁部６ａとが表面シート２の側部２ｂからさらに外側へ延びている。側部２ｂは、側部３ｂと周縁部６ａとの間に介在し、側部３ｂと周縁部６ａとに固着されている。側部３ｂと周縁部６ａとは、それらが互いに重なり合う部分において固着されている。脚周り用弾性部材９は、裏面シート３を形成するプラスチックフィルム３ｃと不織布３ｄとの間に取り付けられている。
【００３１】
股下域２１では、防漏カフ５の自由側部５ｂが起立して排泄物に対する障壁を形成するので、股下域２１からの排泄物の漏れを防ぐことができる。縁部１ｂでは、表面シート２の側部２ｂが縁部１ｂの端まで延びていないので、側部２ｂに到達した排泄物が縁部１ｂから漏出することはない。
【００３２】
図６，７は、他の実施の形態を示すおむつ１Ｂの平面図と、図６の状態からパンツ型に成形したおむつ１Ｂの部分破断斜視図とである。このおむつ１Ｂは、透液性表面シート２と不透液性裏面シート３との間に吸液性コア４が介在し、実質的に不透液性の、脚周り用防漏カフ５と、カバーシート６と、胴周り用防漏カフ７とを有する点において図２のそれと同様である。図６のおむつ１Ｂが図２のそれと異なる点は、以下のとおりである。
【００３３】
防漏カフ７では、自由端部７ｂの自由縁７ｄが後胴周り域２２における胴周り開口１３の縁部１ａの側へ凸となるように弧を画いて延びている。自由端部７ｂには、弾性部材１１が自由縁７ｄに沿って伸長状態で取り付けられている。このおむつ１Ｂでは、それを着用したときに、自由端部７ｂの自由縁７ｄが着用者の臀部に沿うことができるので、自由縁７ｄが着用者の肌に当接したとしても、自由縁７ｄ近傍が折れ曲がったり、自由端部７ｂが自由縁７ｄからめくれてしまったりすることがない。また、このおむつ１Ｂでは、自由端部７ｂが止着部位１２においてカバーシート６に固着されているので、図１のそれと同様に、自由端部７ｂがめくれ難い。
【００３４】
図８，９は、他の実施の形態を示すパンツ型に成形したおむつ１Ｃの部分破断斜視図と、図８のＤ−Ｄ線端面図とである。このおむつ１Ｃは、カバーシート６の部分が胴周り用防漏カフ７を兼ねている。防漏カフ７は、後胴周り域２２における胴周り開口１３の縁部１ａから外側に延びるカバーシート６の部分が縁部１ａにおいてカバーシート６の外面の側へ折り返されることにより画成されている。
【００３５】
図１０，１１は、他の実施の形態を示すパンツ型に成形したおむつ１Ｄの部分破断斜視図と、図１０のＥ−Ｅ線端面図とである。このおむつ１Ｄは、裏面シート３を形成する疎水性繊維不織布３ｄの部分が胴周り用防漏カフ７を兼ねている。防漏カフ７は、後胴周り域２２における胴周り開口１３の縁部１ａから外側に延びる不織布３ｄの部分が縁部１ａにおいてカバーシート６の外面の側へ折り返されることにより画成されている。
【００３６】
図８と図１０とに示すおむつ１Ｃ，１Ｄでは、防漏カフ７の固定端部７ａと固定両側部７ｃとがカバーシート６の外面に固着され、防漏カフ７の自由端部７ｂがコア４の両側縁４ｂの外側近傍に延びる止着部位１２においてカバーシート６の外面に固着されている。また、自由端部７ｂの自由縁７ｄが胴周り開口１３の縁部１ａの側へ凸となるように弧を画いて延びている。
【００３７】
それら図示例のおむつ１Ａ〜１Ｄでは、胴周り用防漏カフ７が後胴周り域２２に配置されているが、後胴周り域２２のみならず、前胴周り域２０に配置されていてもよいし、前胴周り域２０のみに配置されていてもよい。
【００３８】
表面シート２には、不織布または開孔プラスチックフィルム等の透液性のシートを使用することができる。裏面シート３には、プラスチックフィルムと疎水性不織布とをラミネートした複合シートの他に、疎水性不織布、不透液性のプラスチックフィルムのいずれかを使用することができる。防漏カフ５、カバーシート６、防漏カフ７には、疎水性不織布を使用することができる。また、裏面シート３、防漏カフ５、カバーシート６、防漏カフ７には、高い耐水性を有するメルトブローン法による不織布を、高い強度を有しかつ柔軟性に富んだスパンボンド法による不織布で挟んだ複合不織布を使用することもできる。
【００３９】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維またはサドバイサイド型複合繊維を使用することができる。
【００４０】
コア４は、粉砕パルプと高吸収性ポリマー粒子と熱可塑性合成樹脂繊維との混合物であり、所要の厚みに圧縮されている。ゆえに、コア４は、表裏面シート２，３やカバーシート６よりも高剛性である。ポリマー粒子としては、デンプン系、セルロース系、合成ポリマー系のものを使用することができる。
【００４１】
表裏面シート２，３どうしの固着、表裏面シート２，３に対する防漏カフ５やカバーシート６、防漏カフ７の固着、表裏面シート２，３に対するコア４の接合、弾性部材８，９，１０，１１の取り付けには、ホットメルト系接着剤、または、ヒートシールやソニックシール等の熱による溶着手段を使用することができる。
【００４２】
この発明は、テープファスナとテーゲットテープとを互いに係合させることで、おむつの前後胴周り域を連結するオープン型のおむつについても実施することができる。
【００４３】
【発明の効果】
本発明にかかる使い捨て着用物品によれば、胴周り用防漏カフの自由端部が止着部位において物品に固着され、自由端部の動きが止着部位に拘束されるので、着用した物品が上下に動いたとしても、自由端部がめくれ難い。物品では、防漏カフの自由端部が起立して排泄物に対する障壁を形成するので、物品の端縁部からの排泄物の漏れを防ぐことができる。
【００４４】
止着部位がカフの固定両側部とコアの両側縁との間に延びている物品では、自由端部がコアの端縁近傍を覆うことがなく、コアの端縁近傍において自由端部がカバーシートの上方へ起立し、コアの端縁に到達した排泄物を堰き止める。
【００４５】
また、自由端部の自由縁が物品の端縁部の側へ凸となるように弧を画いている物品では、自由端部の自由縁が着用者の臀部に沿うことができ、自由縁が着用者の肌に当接したとしても、自由縁近傍が折れ曲がったり、自由端部が自由縁からめくれてしまったりすることがない。
【図面の簡単な説明】
【図１】  パンツ型に成形する以前の状態で示すおむつの部分破断平面図。
【図２】  図１の状態からパンツ型に成形したおむつの部分破断斜視図。
【図３】  図１のＡ−Ａ線断面図。
【図４】  図２のＢ−Ｂ線断面図。
【図５】  図２のＣ−Ｃ線端面図。
【図６】  他の実施の形態を示すおむつの平面図。
【図７】  図６の状態からパンツ型に成形したおむつの部分破断斜視図。
【図８】  他の実施の形態を示すパンツ型に成形したおむつの部分破断斜視図。
【図９】  図８のＤ−Ｄ線端面図。
【図１０】  他の実施の形態を示すパンツ型に成形したおむつの部分破断斜視図。
【図１１】  図１０のＥ−Ｅ線端面図。
【符号の説明】
１Ａ〜１Ｄ    パンツ型の使い捨ておむつ（使い捨て着用物品）
１ａ          両端縁部
１ｂ          両側縁部
２            透液性表面シート
３            不透液性裏面シート
４            吸液性コア
４ｂ          側縁
８            胴周り用防漏カフ
８ａ          固定端部
８ｂ          自由端部
８ｃ          固定側部
８ｄ          自由縁
１１            弾性部材
１２            止着部位
２０            前胴周り域
２１            股下域
２２            後胴周り域
【図１】
0003732399.tif 000002
【図２】
0003732399.tif 000003
【図３】
0003732399.tif 000004
【図４】
0003732399.tif 000005
【図５】
0003732399.tif 000006
【図６】
0003732399.tif 000007
【図７】
0003732399.tif 000008
【図８】
0003732399.tif 000009
【図９】
0003732399.tif 000010
【図１０】
0003732399.tif 000011
【図１１】
0003732399.tif 000012